(57)【要約】【課題】安価に量産性を確保して高品位な摺動動作を実現すると共に、ディスク駆動装置全体の奥行き寸法を小さくすることができるトレイ案内機構を提供する。【解決手段】ディスク駆動装置１は、ディスク２を載せるトレイ１０と、トレイ１０を支持する筐体２０と、トレイ１０を筐体２０に対しその奥行き方向Ｄに摺動させる左右一対のローラ式案内ガイド３０とを有する。ローラ式案内ガイド３０は、筐体２０とトレイ１０との間の奥行き方向Ｄに沿った所定形状の隙間に嵌合可能な直径を有する樹脂製ローラー３１と、ローラー３１をその軸回りに回転自在に支持する硬質シート材からなるローラー支持体３２とを備える。ローラー３２は、その軸方向が奥行き方向Ｄに直交又は略直交する状態で前記隙間にローラー支持体３２と共に嵌め込まれる。ローラー支持体３２に支持されたローラー３１を介して、筐体２０に対するトレイ１０の摺動動作が行われる。【選択図】  図１
2006040418.tif 000002
【特許請求の範囲】
【請求項１】
ディスクを載せるトレイ及びそのトレイを支える筐体を有するディスク駆動装置で用いられ、且つ、前記トレイを前記筐体に対してその奥行き方向に沿って摺動させるトレイ案内機構において、
前記筐体と前記トレイとに形成され、両者間の前記奥行き方向の隙間を所定の形状とするガイド部と、
前記隙間に対して強嵌合となる直径を有するローラーと、
前記ローラーをその軸の回りに回転自在に支持するローラー支持体と、を備えると共に、
前記ローラー及び前記ローラー支持体が、前記隙間に、前記軸の方向を前記奥行き方向に対して直交又は略直交する方向とするように嵌め込まれ、
前記トレイの前記摺動動作は、前記ローラーを介してその回転動作により行われることを特徴とするトレイ案内機構。
【発明の詳細な説明】
【技術分野】
【０００１】
本発明は、トレイ案内機構に係り、とくにディスクを載せるトレイをその筐体に対しその奥行き方向に沿って円滑に摺動させるトレイ案内機構に関する。
【背景技術】
【０００２】
従来、トレイ上に載せた光ディスク等のディスクを駆動するディスク駆動装置には、トレイ上のディスクを筐体内へ搬入及び排出する際のトレイ案内機構として、トレイをその筐体に対しその奥行き方向に沿って円滑に動かす、即ち摺動させるためのトレイ摺動構造が設けられている。この例を図４及び図５に示す（例えば、特許文献１参照）。
【０００３】
図４及び図５に示すディスク駆動装置１００は、ディスク１１０が所定位置に配置される矩形状のトレイ１２０と、このトレイ１２０を支える筐体１３０とを有する一般的なものである。筐体１３０内には、特に図示していないが、ディスク１１０の回転駆動機構（スピンドルモーター等）やそのピックアップ（再生ヘッド等）を含む各種構成ユニット・部品類が搭載されている。
【０００４】
上記構成のディスク駆動装置１００において、トレイ１２０を筐体１３０に対しその奥行き方向Ｄに沿って摺動させるトレイ案内機構（トレイ摺動構造）が設けられる。即ち、トレイ１２０側には、２つの側面外側に、所定高さの段部（凹凸部）からなる案内ガイド（上下規制用）１２１、１２１が、また底面の両端部に、所定高さの案内ガイド溝（左右規制用）１２２、１２２が、それぞれ奥行き方向に沿って形成されている。これに対し、筐体１３０側には、２つの側面内側に、トレイ側案内ガイド１２１、１２１の段部と対を成す所定高さの段部（凹凸部）からなる案内ガイド（上下規制用）１３１、１３１が、また底面の両端部に、トレイ１２０の案内ガイド溝１２２、１２２内にはめ込み可能な凸部からなる案内ガイド（左右規制用）１３２、１３２が、それぞれ形成されている。
【０００５】
これによれば、図５に示すように、トレイ１２０を筐体１３０に対しその奥行き方向Ｄに沿って摺動動作させるときに、トレイ側案内溝１２２、１２２及び筐体側案内ガイド１３２、１３２により、筐体１３０に対するトレイ１２０の左右方向のガタ（左右ガタ）を抑えると共に、トレイ側案内ガイド１２１、１２１及び筐体側案内ガイド１３１、１３１間の機械的な寸法公差を用いて、筐体１３０に対するトレイ１２０の上下方向のガタ（上下ガタ）を抑制するようになっている。
【０００６】
また、トレイの摺動動作時の上下左右方向のガタを小さくする方法として、筐体上、あるいはトレイ上に一本の金属シャフトを案内ガイドとして設けたものも知られている。この例を図６に示す。図６に示すディスク駆動装置２００のトレイ案内機構は、ディスク２１０を載せるトレイ２２０側に一本の金属シャフト２２１を固定し、筐体２３０側にその金属シャフト２２１を挿通可能な円筒状の案内ガイド２３１を取り付け、案内ガイド２３１内に沿って金属シャフト２２１を案内することにより、トレイ２２０を筐体２３０に対しその奥行き方向Ｄに沿って摺動動作させるものである。これによれば、案内ガイド２３１及び金属シャフト２２１を用いることで機械的な寸法公差を制御しやすくして、そのガタを小さくすることが可能となっている。
【０００７】
なお、ディスク駆動装置以外の分野では、一般的な摺動のための案内機構として、顕微鏡の被測定物を設置する摺動台をガタなく精密にスライドさせるものや、製造産業分野の搬送台などに用いるクロスローラー式ベアリング等も知られている。
【特許文献１】特開平１０−１３４４６６号公報
【発明の開示】
【発明が解決しようとする課題】
【０００８】
しかしながら、上述した従来の技術では、トレイの摺動動作の軽重及びガタは、それらを構成する部材の寸法公差に負うところが大きく、特に量産性や安価に構成するために成形品を多用する民生機器においては、産業用機器のような高価な案内機構と比べると、寸法公差のバラツキや温度変化による公差変化によって一定のガタが生じ、その品位を損なうことがあり、その対策が望まれている。
【０００９】
また、前述した図５に示すように、ディスクを取り出すときのトレイの開放状態では、案内機構の嵌合スパンの寸法ＳＰ（図５参照）によって、上下左右方向のガタの大きさが決まる。この嵌合スパンの寸法ＳＰを短くすれば、トレイ収納時のディスク駆動装置全体の奥行き寸法を小さくできる。
【００１０】
しかしながら、トレイと筐体との互いの凹凸形状を用いた案内機構（図４及び図５参照）や、シャフトを用いた案内機構（図６参照）では、嵌合のガタを有していることからトレイ解放状態においてトレイの上下左右方向のガタが必ず発生する。このため、寸法ＳＰをあまり短くすると、この上下左右方向のガタが極端に大きくなってしまうので、寸法ＳＰの選定には制約があり、ディスク駆動装置全体の奥行き寸法を小さくすることが困難となっている。
【００１１】
そこで、本発明は、産業用機器のような高価な案内機構と同等の性能を有し、かつ、安価に量産性を確保して高品位な摺動動作を実現すると共に、装置全体の奥行き寸法を小さくすることができるトレイ案内機構を提供することを目的とする。
【課題を解決するための手段】
【００１２】
請求項１記載の発明に係るトレイ案内機構は、ディスクを載せるトレイ及びそのトレイを支える筐体を有するディスク駆動装置で用いられ、且つ、前記トレイを前記筐体に対してその奥行き方向に沿って摺動させるトレイ案内機構において、前記筐体と前記トレイとに形成され、両者間の前記奥行き方向の隙間を所定の形状とするガイド部と、前記隙間に対して強嵌合となる直径を有するローラーと、前記ローラーをその軸の回りに回転自在に支持するローラー支持体と、を備えると共に、前記ローラー及び前記ローラー支持体が、前記隙間に、前記軸の方向を前記奥行き方向に対して直交又は略直交する方向とするように嵌め込まれ、前記トレイの前記摺動動作は、前記ローラーを介してその回転動作により行われることを特徴とする。
【発明の効果】
【００１３】
請求項１記載の発明によれば、ローラー及びそのローラー支持体を用いてトレイ案内機構を構築し、ローラー支持体に支持されたローラーを介してトレイの摺動動作を行うようにしたため、トレイ案内機構の構成部材による寸法公差のバラツキや温度変化による公差変化によって一定のガタが生じるという事態も殆ど解消され、これにより上下左右方向のガタを排除して軽摺動でトレイを摺動動作させることができ、産業用機器のような高価な案内機構と同等の性能を有し、かつ、安価に量産性を確保して高品位な摺動動作を実現することができる。また、トレイ案内機構の嵌合スパンを短くすることができるため、ディスク駆動装置全体の奥行き寸法を小さくすることができる。
【発明を実施するための最良の形態】
【００１４】
以下、本発明に係るトレイ用案内機構及びこれを用いたディスク駆動装置を実施するための最良の形態について添付図面を参照して説明する。
【実施例】
【００１５】
図１は、本実施例のトレイ用案内機構を用いたディスク駆動装置１の全体構成を示す。図１に示すディスク駆動装置１は、トレイ１０上に載せたディスク２を筐体２０内の収納位置で安全かつ確実にディスク回転駆動機構（図示しない）へ装着及び離脱させると共に、ユーザーによりトレイ１０の挿入及び排出を簡便に行えるものである。ここで、ディスク２には、例えばＣＤ、ＣＤ−ＲＯＭ、ＣＤ−Ｒ、ＣＤ−ＲＷ、ＤＶＤ−ＲＯＭ、ＤＶＤ−Ｒ、ＤＶＤ−ＲＷ、ＤＶＤ−ＲＡＭ等の光ディスクが例示される。筐体２０内には、特に図示していないが、ディスク２の回転駆動機構（スピンドルモーター等）やそのピックアップ（再生ヘッド等）を含む各種構成ユニット・部品類が搭載されている。
【００１６】
上記構成のディスク駆動装置１において、トレイ１０を筐体２０に対しその奥行き方向（摺動方向）Ｄに沿って摺動させるトレイ案内機構として、ローラー式案内ガイド３０が採用されている。
【００１７】
図２は、ローラー式案内ガイド３０の詳細を説明する斜視図、図３は、トレイ１０及び筐体２０間の隙間でのローラー式案内ガイド３０の嵌合状態を示す断面図である。
【００１８】
図２及び図３に示すローラー式案内ガイド３０は、左右一対で使用されるもので、４つの円筒状のローラー３１…３１と、これら各ローラー３１…３１をその軸回りに回転可能に支持するローラー支持体３２とで構成される。
【００１９】
ローラー３１は、図２に示すように、樹脂材料で構成され、トレイ１０の凸部１１と筐体２０の溝部２１との間の奥行き方向Ｄに沿った隙間Ｇ（図３参照）に、強嵌合で嵌合可能な外径（直径）Ｒを有する。
【００２０】
ここで、隙間Ｇを成すトレイ１０側の凸部１１は、図１に示すように、トレイ１０の幅方向の両側面の外側にその奥行き方向Ｄに沿ってそれぞれ形成され、トレイ１０の高さ方向の中心部に位置する頂部と、その頂部から両端側に位置する底部にわたって所定角度で断面テーパ状に傾斜した両側斜面とで構成される。また、隙間Ｇを成す筐体２０側の溝部２１は、図１に示すように、筐体２０の幅方向の両側面の内側にその奥行き方向Ｄに沿ってそれぞれ形成され、筐体２０の高さ方向の中心部に位置する底部と、その底部から両端側に位置する開口縁部（肩部）にわたって所定角度で断面テーパ状に傾斜した両側斜面とで構成される。従って、トレイ１０側の凸部１１と筐体２０側の溝部２１とが成す隙間Ｇは、凸部１１の頂部及びその両側斜面と、溝部２１の底部及びその両側斜面とに挟まれた空間に位置しており、その奥行き方向に直交する断面形状は、Ｖ字を右回り又は左回りに９０度回転させてなる左右の山カッコ（「＜」又は「＞」）のいずれかに対応したものとなっている（図３参照）。
【００２１】
ローラー支持体３２は、図２に示すように、ローラー３１の外径Ｒよりも小さい厚さＴを有する板状部材からなる。この板状部材は、例えば硬質シート材で構成される。ローラー支持体３２は、例えば矩形状本体の長手方向に沿った中心線を中心に所定角度、即ち上記隙間Ｇの断面形状に沿った角度で、折り曲げてなる２つの斜面を有し、この両斜面のそれぞれの長手方向の両端部に、ローラー３１の軸方向に平行な断面形状より大きい矩形状の開口３２ａ…３２ａが形成されている。即ち、ローラー支持体３２には、４つの開口３２ａ…３２ａが設けられている。各開口３２ａ内には、ローラー３１の両端側からその中空軸内に嵌め込んでそのローラー３１を軸回りに回転自在に支持する一対の開口内凸部３２ｂ、３２ｂが、ローラー３１の軸方向に沿って互いに対向する状態で内向きに凸設されている。
【００２２】
このように、ローラー式案内ガイド３０は、樹脂製のローラー３１及び硬質シート材からなるローラー支持体３２を用いて構成することができるため、特殊な部材を必要とせず、量産性を確保して低価格に構成することが可能である。
【００２３】
ここで、本実施例のローラー式案内ガイド３０の組み立て及び取り付け方法とその摺動動作について説明する。
【００２４】
まず、上記の樹脂製のローラー３１…３１及び硬質シート材からなるローラー支持体３２を用いて左右一対のローラー式案内ガイド３０を組み立てる。この組み立て作業では、４つのローラー３１…３１をローラー支持体３２の４つの開口３２ａ…３２ａ内に嵌め込み、各開口３２ａ…３２ａ内でその一対の開口内凸部３２ｂ、３２ｂにより回転可能に支持させる。
【００２５】
次いで、組み立てた左右一対のローラー式案内ガイド３０を、トレイ１０及び筐体２０間のトレイ案内機構として、トレイ１０側の凸部１１及び筐体２０側の溝部２１間の隙間Ｇ内に取り付ける。この取り付け作業では、ローラー３１を、その軸方向が隙間Ｇの奥行き方向Ｄと互いに直交又は略直交する状態で、その隙間Ｇにローラー支持体３２と共に嵌め込む。嵌め込まれたローラ式案内ガイド３０は、図示しない摺動方向の移動範囲規制手段により隙間Ｇから摺動方向に抜け落ちないようにされている。
【００２６】
これにより、筐体２０に対するトレイ１０の摺動動作は、トレイ案内機構として取り付けた左右一対のローラー式案内ガイド３０、即ちローラー支持体３２により支持されたローラー３１を介してその回転動作と共に行われることになる。このとき、ローラー式案内ガイド３０は、筐体２０に対するトレイ１０の案内ガイド機能を実現するために一定の与圧を必要とするが、この与圧は隙間Ｇ内での嵌合を寸法公差的に強嵌合とすることで与えられると共に、軸のないローラー３１を用いているため、その与圧によって摺動の軽重が左右されない。
【００２７】
従って、本実施例によれば、トレイ案内機構として、上記のような特徴をもつローラー式案内ガイド３０を採用したため、従来例のようにトレイ案内機構の構成部材による寸法公差のバラツキや温度変化による公差変化によって一定のガタが生じるという事態も殆ど解消され、その結果、上下左右方向のガタを排除して軽摺動でトレイ１０を摺動動作させることができ、これにより高品位かつ堅牢さを有するトレイ案内機構を簡便な構成で安価に実現できる。
【００２８】
また、本実施例によれば、トレイ案内機構として左右一対のローラー式案内ガイド３０を用いることにより、嵌合のガタがないので、トレイ解放状態においてトレイの上下左右方向のガタも生じない。従って、案内機構の嵌合スパンの寸法ＳＰ（前述の図５参照）を短くすることができるため、ディスク駆動装置１全体の奥行き寸法を小さくすることができる。
【００２９】
なお、上記実施例では、ローラー支持体３２及びその開口３２ａの形状を矩形状に形成しているが、本発明は必ずしもこれに限らず、ローラー３１を支持可能であれば、いずれの形状でも適用可能である。また、ローラー３１の数量は４つの場合を例示しているが、本発明は必ずしもこれに限らず、トレイ１０の摺動動作が可能であれば、いずれの数量でもよい。さらに、トレイ１０の凸部１１と筐体２０の溝部２１との間の隙間Ｇの断面形状は、上記実施例で説明したものに限らず、ローラー式案内ガイド３０を嵌め合い交差で嵌合可能なものであれば、いずれの断面形状でも適用可能である。
【産業上の利用分野】
【００３０】
以上のように、本発明は、トレイ上のディスクを駆動するディスク駆動装置及びそのトレイ案内機構等に適用できる。
【図面の簡単な説明】
【００３１】
【図１】本発明の一実施例に係るトレイ案内機構を用いたディスク駆動装置を示す斜視図である。
【図２】ローラー式案内ガイドの詳細を説明する斜視図である。
【図３】ローラー式案内ガイドの嵌合状態を示す断面図である。
【図４】従来例のディスク駆動装置を示す斜視図である。
【図５】図４に示すディスク駆動装置の摺動動作時の上下左右方向のガタを説明する斜視図である。
【図６】他の従来例のディスク駆動装置を示す斜視図である。
【符号の説明】
【００３２】
１  ディスク駆動装置
２  ディスク
１０  トレイ
１１  凸部
２０  筐体
２１  溝部
３０  ローラー式案内ガイド
３１  ローラー
３２  ローラー支持体
３２ａ  開口
３２ｂ  開口内凸部
１００  ディスク駆動装置
１１０  ディスク
１２０  トレイ
１２１  トレイ側案内ガイド（上下規制用）
１２２  トレイ側案内ガイド溝（左右規制用）
１３０  筐体
１３１  筐体側案内ガイド（上下規制用）
１３２  筐体側案内ガイド（左右規制用）
２００  ディスク駆動装置
２１０  ディスク
２２０  トレイ
２２１  金属シャフト
２３０  筐体
２３１  案内ガイド
【図１】
2006040418.tif 000003
【図２】
2006040418.tif 000004
【図３】
2006040418.tif 000005
【図４】
2006040418.tif 000006
【図５】
2006040418.tif 000007
【図６】
2006040418.tif 000008